(57)【要約】ユーザの身体、好ましくは手首に支持されるよう適合された個人用活動モニタは、身体の動作の関数として電気信号を発生するための加速度計等の動作センサーを含む。またモニタは、電子時計と、ハウジングの動きを表す信号及びその発生時間を記録するためのメモリを含む。モニタ上のユーザ入力キーにより、食物摂取の時間を表す信号と、運動活動の開始及び終了を表す信号とを入力することが可能になる。他の活動及び状態センサー、例えば脈拍検知器、摂取された食物の画像を記録するカメラ、バーコードリーダーなどをモニタ上に設けることができる。メモリの出力は、体重管理及びフィットネス記録システムにおいて有用である。
2004515291.tif 000002
【特許請求の範囲】
【請求項１】
健康又はフィットネスの目的のために、ユーザの活動をモニタし記録するための装置であって、
ユーザの身体に支持するのに適合されたハウジングと、
前記ハウジング内に支持され、時間を表す電気信号を発生する時計と、
前記ハウジング内に支持され、ユーザの動作の関数として電気信号を発生するように働く動作センサと、
前記ハウジング上に支持された、ユーザによる作動時に電気信号を発生するように適合された第１の入力手段と、
ユーザの動作を表す前記電気信号と、ユーザの動作を表す前記信号の発生時間と、前記ハウジング上に支持された前記第１の入力手段の作動の発生時間とを記録するように適合された電子メモリと、
前記メモリに記録された前記信号を外部のユーザディスプレイに転送するための手段と、
を含むことを特徴とする装置。
【請求項２】
前記動作センサが加速度計を含むことを特徴とする請求項１に記載の装置。
【請求項３】
現在時刻の表示を更に含むことを特徴とする請求項１に記載の装置。
【請求項４】
生理学的パラメータを検知するためにユーザの身体と相互に作用するように適合されたセンサを更に含むことを特徴とする請求項１に記載の装置。
【請求項５】
前記生理学的パラメータが脈拍数を含むことを特徴とする請求項４に記載の装置。
【請求項６】
前記生理学的パラメータが体温を含むことを特徴とする請求項４に記載の装置。
【請求項７】
ユーザによる作動時に電気信号を発生するように適合された第２の入力手段を更に含み、入力手段の一つによって、食物の摂取時間を記録することができ、もう一方の入力手段によって、運動活動の発生時間を記録することができることを特徴とする請求項１に記載の装置。
【請求項８】
ユーザの手首に前記ハウジングを固定するために、該ハウジングに取り付けられたストラップを更に含むことを特徴とする請求項１に記載の装置。
【請求項９】
ユーザによって装着された衣服に前記ハウジングを固定するための手段を更に含むことを特徴とする請求項１に記載の装置。
【請求項１０】
前記メモリから信号を受け取ると、ある期間にわたって活動イベントの発生を示すしるしを含むグラフィック表示を発生するように適合されたディスプレイ装置を更に含むことを特徴とする請求項１に記載の装置。
【請求項１１】
前記グラフィックディスプレイ装置が、個人用携帯情報端末であることを特徴とする請求項１０に記載の装置。
【請求項１２】
前記メモリ内に記憶された信号を、インターネットを通じて遠隔のコンピュータへ通信するための手段を更に含むことを特徴とする請求項１に記載の装置。
【請求項１３】
前記ハウジングに支持されたバーコードリーダーと、前記メモリ内に該バーコードリーダーによって生成された信号を記憶するように適合された電子機器を更に含むことを特徴とする請求項１に記載の装置。
【請求項１４】
画像を取り込み且つ前記メモリに記憶するための光に応答する手段を更に含むことを特徴とする請求項１に記載の装置。
【請求項１５】
個人用活動モニタであって、
ハウジングと、
ユーザの身体に前記ハウジングを固定するための手段と、
前記ハウジング内に支持された時計と、
前記ハウジング上に支持されたグラフィックディスプレイと、
前記ハウジング内に支持され、前記ハウジングの動きの関数として電気信号を発生するように働く動作センサと、
前記ハウジング上に支持され、ユーザによって手動で操作可能な、各々がユーザによる作動時に電気信号を発生するように適合されている、複数のユーザ入力キーと、
ユーザの動作を表す信号と、ユーザの動作を表す該信号の発生時間と、前記ハウジング上に支持された前記各入力キーの手動動作の発生時間とを記録するように適合された電子メモリと、
前記メモリ内に記録された前記信号を外部利用装置へ転送するための手段と、を含むことを特徴とする、個人用活動モニタ。
【請求項１６】
前記複数のユーザ入力キーの各々が、ユーザの個別の活動に対応していることを特徴とする請求項１５に記載の個人用活動モニタ。
【請求項１７】
前記ユーザ入力キーの少なくとも１つが、食物の摂取に対応し、前記ユーザ入力キーの別の１つが、運動活動に対応していることを特徴とする請求項１６に記載の個人用活動モニタ。
【請求項１８】
前記ハウジングをユーザの手首に固定するためのストラップ手段を更に含み、前記ハウジング上に支持された前記ディスプレイが、現在時刻と、前記メモリ内に記憶された前記信号に関する情報とを表示することを特徴とする請求項１５に記載の個人用活動モニタ。
【請求項１９】
個人用活動モニタであって、
ハウジングと、
前記ハウジングをユーザの手首に固定するための、前記ハウジングに付属するストラップと、
前記ハウジング内に支持された時計と、
前記ハウジング内に支持され、前記ハウジングの動きの関数として電気信号を発生するように働く動作センサと、
電気信号を発生するためにユーザによって手動で操作可能な、前記ハウジング上の複数の入力キーと、
前記ハウジングの動きを表す信号と、該信号の発生時間と、前記ハウジングに支持された前記各入力キーのオペレータによる作動の時間とを記録するように適合された電子メモリと、
前記ハウジング上に支持され、現在時刻と前記メモリ内に記憶された信号とを表示するように適合されたグラフィックディスプレイと、
前記ハウジングに支持され、前記ユーザの瞬間脈拍数を測定し、前記メモリへ供給するための電気信号を発生するように適合された脈拍数センサと、
前記メモリ内に記録された前記信号を外部利用装置に転送するための手段と、を含むことを特徴とする個人用活動モニタ。
【請求項２０】
前記ハウジング上に支持され、ユーザによる作動に応じてデジタル画像を取り込むように適合されたカメラと、
該デジタル画像を、該画像の取り込み時間と共に前記メモリ内に記録するための手段と、
を更に含むことを特徴とする請求項１９に記載の個人用活動モニタ。
【請求項２１】
前記ハウジングに支持され、活動に関する情報を記録し且つ後に再生するために該情報を前記メモリ内に記録する場合にユーザが使用するための、音声レコーダー及びマイクロホンを更に含むことを特徴とする請求項１９に記載の個人用活動モニタ。
【発明の詳細な説明】
【０００１】
（発明の技術分野）
本発明は、体重管理及びフィットネスシステムに関連してユーザの活動及び身体状態をモニタし記録するために、ユーザの身体に支持されるように適合された装置に関する。
【０００２】
（発明の背景）
健康及び体重管理は、多くの人々にとって重要である。多くの人々が、通常はカロリー制限のダイエットに基づいた、従来の減量方法に取り組んでいる。身体活動は、体重管理プログラムに含むことができる。カロリー管理システムにより、人は、安静時代謝率（ＲＭＲ）及び活動関連カロリー消費量を含む自分のカロリー消費量を、食物（飲料を含む）の形で摂取する自分のカロリーと比較することが可能となる。カロリー消費量は、２つの構成要素、すなわち、安静時代謝プロセスに関する大きな寄与部分と、身体活動で消費されるエネルギーに関する小さな寄与部分とを有する。総エネルギー消費量（ＴＥＥ）は、安静時エネルギー消費量（ＲＥＥ、安静時代謝率（ＲＭＲ）と注目する時間との積）と、活動時エネルギー消費量（ＡＥＥ）の和であると言える。すなわち、
ＴＥＥ＝ＲＥＥ＋ＡＥＥ
【０００３】
カロリーバランスは、その人のＴＥＥとカロリー摂取量との差に基づいて定義される。
【０００４】
カロリー管理が成功することは、減量プログラムの重要な部分である。カロリー管理には、カロリー摂取量を記録することとカロリー消費量記録するという、２つの重要な構成要素がある。摂取した食物と行われた活動を書き留めるには、多くの時間が費やされる。電子ダイエット計算器は、当該技術分野において知られているが、同様に使用するのにかなりの時間が消費されることが多い。本発明の目的は、健康的なライフスタイルの維持を可能にし且つそれを促進する装置及びシステムを提供することである。
【０００５】
（発明の概要）
本発明は、ユーザの身体上に支持され、電子時計と、身体動作及びそのレベルを検知するためのセンサと、ユーザが食物摂取及び間をおいて行われる運動の開始及び／又は終了のような活動を記録することを可能にする入力手段と、心拍数のような活動に関連するユーザの生理学的パラメータを検知するためのセンサと、これらの全ての信号及び該信号の発生時間を記憶し、後にグラフィックディスプレイシステムに伝達するための電子メモリと、を含む電子装置に関する。活動、入力事項、生理学的パラメータ、及び発生時間を記録することにより、ユーザが体重管理又はフィットネスプログラムを日常的に行うのを支援する。
【０００６】
以下に詳細に説明するように、本発明の好ましい一実施形態は、小型で軽量な電子装置の形をとり、ユーザの衣服又は身体に取り付けることができる。本装置は、電子時計と、加速度計のような動作センサ回路とを組み込んでいる。時計及び動作センサの電気的出力は、時間と活動を相関付けて、固体メモリに磁気的に又は光学的に記録される。本装置は、食事を摂取した時間、ランニング又は自転車乗り等の身体的活動の開始及び／又は終了時間をユーザが記録するために使用することができるプッシュボタン、キー又は同様のものを含むのが好ましい。同様にこれらの信号は、該信号の発生時間と共に固体メモリ内に記録される。本装置は、脈拍数、心電図（ＥＫＧ）、体温などのようなパラメータを記録するために身体に接触する生理学的センサを更に含む。これらの信号は、定期的に測定されてタイムスタンプと共に固体メモリ内に記録され、又は本システムはレベルセンサを含み、該センサの生理学的信号が特定のレベルを越えるか又は該信号が運動の開始及び終了のような特定の時に発生した場合に、該信号を単に記録する。本装置は、ユーザが閲覧するために、メモリの内容をグラフィックディスプレイ装置へ転送するための手段を含む。これは、ケーブル、無線、又はディスプレイ装置に挿入するスティックメモリの着脱によって、パーソナルコンピュータ、ＰＤＡ又はプリンターに本装置を取り付けるための通信ポートを含む種々の形式をとることができる。
【０００７】
本発明の別の実施形態を詳細に述べると、メモリに記録された情報を表示するディスプレイを有する腕時計形の手首装着ユニットである。また、このユニットは、ユーザが取り組んだ運動の内容、摂取した具体的な食物などのコメントを記録することが可能となるマイクロホン及びボイスレコーダを含むのが好ましい。情報が転送される、手首装着装置又は補助装置のいずれかによって再生される場合、この音声ファイルは、装置本体又は補助ディスプレイ装置のいずれかから、記録された情報のグラフィックディスプレイと共に使用することができ、ユーザが体重管理又はフィットネスプログラムに関連して使用する食物摂取及び活動の公式記録を生成することが可能となる。また、身体に支持される装置は、摂取された食物をよりよく記録するための他のユニットを含むことができる。一実施形態において、装置は、後にダイエットバランスプログラム内に記録するために食物の正確な内容を特定できるように、摂取した食物のパッケージの統一商品コードを読み取るバーコードリーダーを含む。或いはまた、身体に支持された装置は、グラフィックプロセッサにより表示するため、又は通信ネットワークを通じて遠隔のコンピュータ、即ち食物を記録する目的のために画像を解析し栄養含有量を決定するために備えられたコンピュータへ、或いはその仕事を行う熟練した専門家へ画像を転送するため、摂取した食物の画像を取り込むカメラを含むことができる。また、身体に支持されるユニットは、食事、運動、又は同様のものの時間をユーザに提案するための警報を含むことができる。
【０００８】
本発明の他の応用及び利点は、本発明の好ましい実施形態の以下の詳細な説明によって明らかとなる。説明は添付の図面を参照しながら行う。
【０００９】
（好ましい実施形態の詳細な説明）
１．歩数計ベースのスマート活動モニタ（ＳＡＭ）
図１は、以下頭文字でＳＡＭと呼ぶ歩数計をベースとしたスマート活動モニタの好ましい全体図を示している。図２にその概略図を示すように、歩数計ベースのＳＡＭの全体を１０で示す。ＳＡＭ１０は、略円形のハウジング１２と、活動ボタン１４と、食物フラグボタン１６と、時間ディスプレイ１８と、食物ディスプレイ２０と、運動ディスプレイ２２と、電子接続ジャック２４とを有する。ハウジング１２は、計時器として機能し、活動に関する情報を記録し、そしてダイエットに関する情報を記録するための時計及びメモリを含む電子回路を収容している。
【００１０】
使用時には、例えばピン、クリップ、粘着性のテープ、フック・アンド・ループテープ（Ｖｅｌｃｒｏ取付具のようなもの）、及び同様のものなどの任意の使いやすい方法で、ＳＡＭ１０をユーザのベルト又は衣服に留める。胸ストラップのようなストラップもまた、ユーザの身体にＳＡＭを固定するのに使用すること
ができる。また、皮膚装着のアタッチメントを使用することができ、例えばＳＡ
Ｍは、粘着層、ゲル層、又は他の特定の接着方法を用いてユーザの皮膚に保持されたクリップで保持することができる。（この明細書において、ユーザとは、例えば健康管理システムの一部としてＳＡＭを使用する人である。）
【００１１】
ＳＡＭは、ユーザの身体活動レベルと関係付けられた電気信号を供給するための内部機構及び回路を収容する。これは、圧電カンチレバーに基づく圧電加速度計を使用するのが好ましい。又は、振り子スイッチ、導電性液体ベースのスイッチ、又は他の動作検知スイッチ或いは装置のような別の加速度計設計を用いることもできる。運動ボタン１４は、活動の開始時間、終了時間、及び持続時間を記録するために、運動の開始時と終了時に押す。タイムスタンプは、後にユーザの活動記録を作成するのに使用される。活動レベルは、加速度計信号とユーザの活動との相関関係に基づいて、活動中に記録される。時間データと活動レベルデータは、ＳＡＭ内のメモリに記録される。
【００１２】
食物フラグボタン１６は、食べ物、飲み物、及び他の消費物が摂取される時に押す。ＳＡＭは、摂取時間を記録し、これは後にユーザがダイエット記録を生成する時にメモリに対する目印として使用される。
【００１３】
活動ディスプレイ又は運動ディスプレイ２２は、１日の間又は他の期間に実施された運動の表示をするために使用される。棒グラフ形式の運動ディスプレイ２２（図１及び図２に示す）は、毎日の目標に対するその日の活動レベルの表示を提供するのに使用される。又、このディスプレイは、運動の達成目標に対する進行状況を表示するために使用することができる。運動は、特定の時間の経過後、特定の累積活動レベルへの到達後、又はいくつかの組み合わせ後に完了したとみなすことができる。棒グラフ形の食物ディスプレイは、記録された食事の回数を示すのに使用することができる。或いはディスプレイ２０及び２２に関して、英数字を表示するのに使用することができる。
【００１４】
通信ジャック２４によって、ＳＡＭが、個人用携帯情報端末（ＰＤＡ）、ポケットサイズ・コンピュータ、他のポータブル・コンピュータ、無線電話、ポケベル、リスト装着装置、電子ブック、上記機能の１つ又はそれ以上を含む装置、デスクトップ・コンピュータシステム、又は計算能力を持つ他の装置のような、他の電子装置と通信することが可能になる。ＳＡＭをコンピュータに接続するためにシリアルコネクタを使用するのが好ましい。無線通信方法又はメモリ・モジュール転送もまた、ＳＡＭとコンピュータ間のデータ通信のために使用することができる。これにより、食物に関連するデータ及び活動に関連するデータを、コンピュータにダウンロードすることが可能になる。
【００１５】
他の実施形態においては、生体インピーダンス測定のために指パッド電極を備えることができる。パルス酸素測定（ｐｕｌｓｅ ｏｘｉｍｅｔｒｙ）のために、指クリップを備えることができる。また、脈拍数センサをハウジング１２の背面に備え、時間ディスプレイ１８を用いてユーザの脈拍数の表示してもよい。ハウジング１２内のメモリを用いて、食物と活動に関する音声メモをユーザが記録できるように、マイクロホンを備えることができる。マイクロホンは、後に医学的診断を行うために、心拍又は呼吸器の音の記録に使用することができる。食物と活動に関する画像、例えば摂取した食物、印刷されたノート又はメニュー、歩いた道、その他同様のものなどの画像を記録できるように、光学的イメージ・センサを備えることができる。バーコードスキャナーを備えて、食物のパッケージを読み取らせるか、又は他のデータをＳＡＭへ入力させることが可能になる。
【００１６】
２．手首装着型ＳＡＭ
図３は、全体が３０で示された手首装着型ＳＡＭの好ましい設計を示す。図４の概略図を参照すると、手首装着型ＳＡＭ３０は、腕時計の形式のほぼ円形のハウジング３２を有し、ストラップ３４でユーザの手首に支持される。マイクロホン３６は、ハウジング３２内に収納されており、音声記録をハウジング３２内のメモリに記憶する方法を提供する。ＳＡＭ３０は、ハウジングに付属する、モードボタン３８、食物フラグボタン４０、記録／転送ボタンペア４２及び４４、赤外線ダウンリンクポート４６、時間ディスプレイ５０、活動ディスプレイ（又は運動ディスプレイ）５２、及び食物ディスプレイ５４を有する。心拍数センサ５６は、ハウジングの背面（図３に示す）に備えられ、ユーザの手首に接触して心拍数（又は同等の脈拍数）に関する信号を提供する。
【００１７】
モードボタン３８は、動作モードの切り換えに使用され、この動作モードには、時間表示のみ、脈拍数、運動の開始からの時間、食物表示、活動レベル表示、これらの組み合わせ、及び他の情報が含まれる。
【００１８】
食物フラグボタン４０は、食物の摂取時に押される。タイムスタンプ（ボタンが押された時刻）は、後日ダイエット記録を生成する際に使用される。タイムスタンプデータは、マイクロホンを使って記録された音声メモによって補足することができる。この記録されたメモは、ダイエット記録の生成に役立つように時刻を付加するのが望ましい。
【００１９】
データは、別の装置、例えばＰＤＡ又は他のポータブル・コンピュータ、デスクトップ・コンピュータシステム、又は他の電子装置へ、赤外線ダウンリンクポート４６を用いて転送される。これは、赤外線を用いて他の装置と通信するための赤外線発光器と赤外線検出器とを含む。転送／記録ボタンペア（４２及び４４）を押し、ポート４６を用いて赤外線通信を開始する。ブルートゥースプロトコルような別の無線通信方法、ケーブル、又はメモリ・モジュール転送も同様に使用することができる。
【００２０】
心拍数センサ５６は、手首装着型ＳＡＭ（図４に示す）のハウジング３２の背面に備えられ、ユーザの皮膚に接触するようストラップ３４の穴から突き出ている。好ましい実施形態では、ユーザの心拍数の測定に光血量計測法（ｐｈｏｔｏ ｐｌｅｔｈｙｓｍｏｇｒａｐｈｙ）が使用される。赤外線源は、手首において反射され、心拍数をモニタするのに用いられる。他の公知の技法、例えば血圧の変化がモニタされる空気圧血量計測法（ｐｎｅｕｍａｔｉｃ ｐｌｅｔｈｙｓｍｏｇｒａｐｈｙ）、インピーダンス・カルジオグラフィー（ｉｍｐｅｄａｎｃｅ ｃａｒｄｉｏｇｒａｐｈｙ）、及び心音図描画法（ｐｈｏｎｏｃａｒｄｉｏｇｒａｐｈｙ）を使用することができる。また、心拍数を測定できるようにした胸ストラップを装着し、無線方式又はケーブルを用いてＳＡＭとの間で通信を行うようにしてもよい。
【００２１】
手首装着型ＳＡＭに組み込むことができる他の生理学的モニタには、血糖センサ、体温センサ、加速度計等が含まれる。手首装着型ＳＡＭ３０は、赤外線ポート４６の代わりに或いは赤外線ポート４６に加えて、ケーブルを用いて他の装置にＳＡＭを接続するための電子接続ジャックを有してもよい。或いは、心拍数センサは、ストラップ３４に組み込んでもよい。ＳＡＭは、モニタリングシステムへデータを転送するために、インターネットのような通信ネットワークへの無線リンクを備えることができる。無線リンクは、患者のモニタリング及び運動選手のモニタリングに有用である。また、手首装着型ＳＡＭに、無線電話、テレビ、ラジオ、エンタテイメント装置、インターネット接続装置、ポータブル・コンピュータのうちの一つ又は複数の機能を持たせることもできる。
【００２２】
３．ＳＡＭを用いた健康管理システム
本発明の１つの目的は、食物が摂取されたことを記録する煩わしくない方法をユーザに提供することである。食物を食べる時にユーザが詳細な記録をとることは、実現不可能か、又は厄介なことである。本発明の利点は、摂取時に食べた食物の完全な記録をユーザがとる必要がないことである。ＳＡＭに食物ボタンを備えることにより、ユーザは、何かを食べる時間を素早く、簡単に記録することができる。その結果、この摂取の時間は、後に完璧なダイエット記録がユーザのパーソナルコンピュータ上で作成される時に、メモリへの合図としての役割を果たす。食事の時又最も早い都合のよい時に音声記録を追加することができ、これによってタイムスタンプデータを補足することができる。
【００２３】
運動及びダイエットの詳細な記録は、ユーザが所有するコンピュータ・デバイス上で実行するソフトウェアプログラムを用いて生成されるのが好ましい。コンピュータ・デバイスとしては、個人用携帯情報端末（ＰＤＡ）、ポケットＰＣ、デスクトップ・コンピュータシステム、又はコンピュータ機能を有するエンタテイメント装置などを用いることができる。ＳＡＭは、シリアルコネクタ又は他のケーブル、赤外線光線やブルートゥース無線プロトコルのような無線リンクを用いて、電子的なインターフェースを形成することにより、又はメモリ・モジュール（メモリカード、フラッシュメディア、他の不揮発性メモリ、又は電源着きメモリ・モジュールなど）の差し替えることよってコンピュータ・デバイスと通信する。ソフトウェアについては以下の節で詳細に述べる。ユーザは、定期的に自分の体重を量り、このデータを関連するソフトウェア及びデータベースに提供するのが望ましい。
【００２４】
図５Ａは、ＳＡＭ６０（上述の実施形態のいずれであってもよい）がデスクトップ・コンピュータシステム６２と通信する、健康管理システムを示している。双方向の矢印は通信リンクを表す。コンピュータシステム６２は、好ましくはインターネットであるところの通信ネットワーク６４へのリンクを有する。また、通信ネットワーク６４は、遠隔のコンピュータシステム６６、及び６８のような健康管理システムの他のユーザが所有するコンピュータへリンクされている。
【００２５】
遠隔のコンピュータシステム６６は、ユーザからデータを受け取り、このデータをデータベース或いはその他のメモリ媒体に記憶するためのソフトウェアプログラムを備える。また、コンピュータシステム６６は、ユーザに関するデータ表示、好ましくはインターネットを通じてユーザが閲覧可能なウェブページを生成するためのソフトウェアを備える。ユーザは、通信ネットワークを通じてフィードバック、詳細情報、資源、及びサポートを入手することができる。例えばユーザ、ＳＡＭを供給する会社の従業員、保健専門家、医師、フィットネスプランナー、栄養士、又は他の認定されたユーザは、長い時間にわたる進捗状況をモニタすることができる。ユーザが減量目標を達成するのを支援するために、通信ネットワークを通じてサポートグループ又はチャットルームをユーザに提供することができる。
【００２６】
図５Ｂは、ＳＡＭ６０からのデータをポータブル・コンピュータ７０へ伝達する健康管理システムの別の実施形態を示す。ポータブル・コンピュータ７０は、通信ネットワーク６４へのリンクを有する。また、ポータブル・コンピュータ７０は、デスクトップ・コンピュータシステム６２と通信する。ユーザはまた、エンタテイメント装置７４にアクセスすることができ、このエンタテイメント装置は、双方向テレビ、インターネット接続機器、及び同様のものとすることができる。エンタテイメント装置７４とデスクトップコンピュータ６２とは、単一の装置に一体化することができる。同様にＰＤＡ７０とＳＡＭ６０もまた、単一の装置に一体化することができる。コンテンツプロバイダ７２は、通信ネットワーク６４を通じてユーザへ送信することができ、且つ装置７０、６２、又は７４を用いて閲覧することができる情報を提供する。ユーザは、ストリーミング・ビデオの形式での音声映像のフィードバックをエンタテイメント装置７４上で閲覧できることが望ましい。また、フィードバックは、コンピュータ・デバイスへの電子メールの形式、システム６６が生成してユーザが閲覧できるようにしたウェブページの形式、ユーザが所有するコンピュータ・デバイス上でソフトウェアを提供又は開始するための、通信ネットワーク６２を通じてユーザに送信されるデータの形式とすることができる。このフィードバックの内容は、遠隔のコンピュータシステム６６と連携するデータベースに格納されている情報のステータスによって制御される。例えば、減量目標が達成されている場合には、その報奨としてエンタテイメントシリーズの別の話を提供することができる。減量目標が達成されなかった場合には、フィードバックは、ダイエットのアドバイス又は運動のヒントという形式をとることができる。
【００２７】
本発明の重要な態様は、通信ネットワーク６４を用いて、ユーザの１つ又は複数のコンピュータ・デバイス（この実施形態においては７０と６２）と遠隔のコンピュータシステム６６との間でデータの同期化を行うことである。ユーザに関するデータは、ダイエット、活動、購買、医学、及びＳＡＭによって生成される他の情報、ダイエット／活動記録ソフトウェア、及び他のソースを組み合わせることができる、遠隔のコンピュータ６６のデータベース上に集められる。また、例えばフィードバック、活動についての提案、食事についての提案、及び同様のものなどのデータは、ネットワーク６４を通じてユーザによって受け取られる。
【００２８】
また、ＳＡＭは、ダイエット記録プロセスの一部として統一商品コード（ＵＰＣ）を読み取るためのバーコードリーダーを含むことができる。またＳＡＭに、ダイエット記録のために、摂取される食品の画像を取り込むための撮像装置を含めてもよい。ユーザが収集した非公式の記録は、通信ネットワークを通じて遠隔のコンピュータへ送信することができ、そこで、熟練の専門家、例えば健康関連の会社の社員が、ユーザのための公式のダイエット及び活動記録を生成することができる。ユーザは、その後にインターネットを通じて、生成されたダイエット記録を編集又は改良するオプションを有することができる。
【００２９】
ＳＡＭは、定期的にユーザの安静時代謝率（ＲＭＲ）を測定する目的で間接カロリーメーターがユーザに供給される健康管理プログラムにおいて使用されるのが望ましい。カロリーメーターは、同時係属中の出願番号０９／６３０，３９８に記載されているものを使用するのが望ましい（当該出願は参照として本明細書に組み込まれたものとする）。減量プログラムのような健康管理プログラム中に、ＲＭＲ値が著しく低下した場合は、ユーザは活動レベルを上げるように促される。期待日常活動レベルのような、ＳＡＭのメモリに記憶されたデータは、より活動的なライフスタイルを奨励するように修正されることになる。
【００３０】
ＳＡＭは、ユーザの身体活動レベルをモニタするために使用され、この活動レベルが目標レベルを下回る場合に、ユーザに対してフィードバックを提供することができる。ＳＡＭは、歩行、階段の使用、運動、或いはコンピュータワークステーションから席を立つことが望ましいことなどを、（例えばビープ音、点滅信号、又はディスプレイ表示を通じて）提案することができる。また、ＳＡＭは、日時と次の食事までの時間に関連して、軽食を摂ることを提案するために使用することができる。
【００３１】
データは、コンピュータからＳＡＭへ戻される。食物記録及び活動記録は、ＳＡＭによってユーザに提供されたフィードバックの内容を開始又は変更するために使用することができる。例えば、午前１１時頃に軽食を摂ることが、減量目標を達成するのに問題となる場合、ＳＡＭは、ユーザが昼食まで我慢する提案か、或いは、ユーザに水を飲むか、ボリュームの多い低カロリースナックを食べるか、この時間に運動するか、又は食欲抑制剤を服用するなどの提案に沿ったフィードバックを提供することができる。このフィードバックの提供に関しては、ＳＡＭは、英数字表示、又は高解像度のグラフィック表示で提供することができる。
【００３２】
また、ＳＡＭは、例えば心臓手術から回復中のユーザに対する心臓病回復プログラムにおいて使用することができる。この場合、回復期の患者は、ある一定の身体的活動量の達成を推奨されることが多い。業者が買い取りによってＳＡＭをユーザに提供してもよいし、あるいは業者がユーザにその後のフィードバック及びサポートも提供するウェブサイトへのアクセスを含む入会申し込みに基づいてユーザにＳＡＭを提供してもよい。
【００３３】
また、ＳＡＭの実施形態は、ユーザが携行する他の生理学的モニタ、例えば体温、呼吸モニタ、心臓モニタ、環境センサ等と、情報をやりとりするようにしてもよい。
【００３４】
４．間接カロリーメーターを用いたＳＡＭの較正
ＳＡＭは、間接カロリーメーターと共に使用されるのが望ましい。安静時代謝率測定値は、一定の間隔で追跡するために使用されるソフトウェアに入力することができる。また歩数計は、呼吸器コネクタとしてマスクを有するＧＥＭのバージョンを使用して、単位時間あたりの実カロリー消費の点から較正することができる。
【００３５】
図６は、ユーザが間接カロリーメーター（全体を８０で示される）を介して呼吸しているところを示している。これは、標章ＨｅａｌｔｈＧｅｍ（ＧＥＭ）としてコロラド州ＧｏｌｄｅｎのＨｅａｌｔｈＴｅｃｈ社により販売されているもので、ストラップ８４を使って顔に密着させるマスク８２を使用している。ユーザは安静時の代謝率を測定し、これにより安静時代謝率（ＲＭＲ）を得る。次にユーザは、ＳＡＭを装着すると共にＧＥＭを通して呼吸しながら活動を行う。ＧＥＭを使って活動している間に測定された上昇代謝率と、ＳＡＭからの信号との間に相関関係が得られる。これ以降は、この相関関係は、間接カロリーメーターを通して呼吸する必要もなく、ＳＡＭからの信号に基づいてユーザの実カロリー消費量を決定するために使用される。ＳＡＭの実施形態が、ユーザの脈拍数をモニタする場合、ユーザの脈拍数も同様に間接カロリーメーターを使って測定されたカロリー消費量と相関付けることができる。ユーザは、ＳＡＭを装着しＧＥＭを通して呼吸しながら、ウォーキング、ジョギング、ランニング、その場でのランニング、トレッドミルの使用、又はサイクリングのような一連の活動に取り組む。活動終了時に、ＳＡＭからの信号は、間接カロリーメーターを使って測定された酸素消費量と相関付けられる。また、ＳＡＭは、供給された信号の特徴的サインにより活動を特定するために使用することができる。例えば、ランニングは、ＳＡＭからの特定のタイプの信号となることができ、これにより認識されてランニング運動のカロリー消費量を計算することができる。この実施形態において、ＳＡＭによって提供されるパターンは、ユーザの活動レベルを決定する際に使用される。パターンは、脈拍数、加速度計信号、位置（例えばＧＰＳ信号）、及び他の生理学的信号の固有のサインである。ＳＡＭは、行われた活動に関係する運動器具からデータを受け取ることができる。ＧＰＳ信号は、ジム内のユーザの位置を特定し、後にユーザを促して詳細な運動情報を提供させることができる。また、個人トレーナーは、活動に関連するデータを提供することができる。ＳＡＭは、ボタンを押すことなく、時間フラグデータを提供することにより、運動の開始と終了を自動的に検知することができる。その結果、ＳＡＭは、ユーザによるデータ入力を必要とせずに、その日に行われた活動の時間及び内容などの詳細な活動記録データをコンピュータ上の活動記録ソフトウェアに提供することができる。
【００３６】
ＳＡＭは、ＲＭＲを示すカロリーメーター（同時係属中の出願番号０９／６３０，３９８に記載のような）からデータを受け取ることによって、総カロリー消費量（ＲＭＲ＋ＡＥＥ）を提供することができる。ＲＭＲ値は、カロリーバランスにおけるＲＭＲ値の変動の影響を補正するために定期的に更新されるのが望ましい。従来の体重管理方式では、ＲＭＲ値の変動に関して補正していない。ユーザのＲＭＲ値が、ＳＡＭのメモリ内に記憶される場合、ＳＡＭは、１日の内のいつでも総カロリー消費量を示すことができる。また、ＳＡＭが、カロリー摂取量（ダイエット中に摂取したカロリー）及び／又はカロリー目標値に関する情報を受け取る場合、その日のカロリーバランスを与えることができる。例えば、ＳＡＭは、ダイエット記録を含んでもよく、又は摂取量が記録されるコンピュータから信号を受け取ってもよい。カロリー摂取量は、食物フラグ及び／又は過去の摂取パターンに基づいて推定することができる。
【００３７】
５．ＳＡＭのグラフィック出力
図７は、ＰＤＡ、デスクトップコンピュータ等に設けることができるＳＡＭの典型的なグラフィック出力を示している。横軸は２４時間期間中の時間を表している。フラグ１００は、ユーザが食物を摂取し食物フラグボタン１６を押した時にグラフィックディスプレイ上に表示される。文字Ａは、運動ボタン１４を押した結果として、運動サイクルの始まりと終わりの時刻に表示される。活動及び運動中に消費されたカロリーのグラフ１０２は、ディスプレイの上部に表示される。これは２４時間期間の累積値である。
以上の本発明の説明に基づいて、特許請求の範囲を記載する。
【図面の簡単な説明】
【図１】
本発明によって作られた活動モニタの第１の実施形態である。
【図２】
図１の活動モニタの概略図である。
【図３】
本発明によって作られた手首装着活動モニタの正面図（Ａ）と、図３Ａの活動モニタの背面図である。
【図４】
図３Ａと図３Ｂの活動モニタの概略図である。
【図５Ａ】
パーソナルコンピュータシステムと通信し、該パーソナルコンピュータを介してインターネット上で遠隔のコンピュータと通信する活動モニタを使用する健康管理システムの概略図である。
【図５Ｂ】
インターネットを通じてＰＤＡ及び補助システムと通信する活動モニタを含む健康管理システムの別の実施形態の概略図である。
【図６】
本発明のモニタを使用してカロリー消費量を身体活動の同時測定値と相関付ける目的のための間接カロリーメーターを通したユーザの呼吸を示している。
【図７】
食物摂取と運動活動に関するフラグがついた、２４時間にわたる活動モニタからプリントアウトしたグラフ、及び１日を通して消費された総活動カロリーのグラフである。
【図１】
2004515291.tif 000003
【図３】
2004515291.tif 000004
【図５Ａ】
2004515291.tif 000005
【図５Ｂ】
2004515291.tif 000006
【国際公開パンフレット】
2004515291.tif 000007
2004515291.tif 000008
2004515291.tif 000009
2004515291.tif 000010
2004515291.tif 000011
2004515291.tif 000012
2004515291.tif 000013
2004515291.tif 000014
2004515291.tif 000015
2004515291.tif 000016
2004515291.tif 000017
2004515291.tif 000018
2004515291.tif 000019
2004515291.tif 000020
2004515291.tif 000021
2004515291.tif 000022
2004515291.tif 000023
2004515291.tif 000024
2004515291.tif 000025
2004515291.tif 000026
2004515291.tif 000027
2004515291.tif 000028
2004515291.tif 000029
2004515291.tif 000030
2004515291.tif 000031
【国際公開パンフレット（コレクトバージョン）】
2004515291.tif 000032
2004515291.tif 000033
【国際調査報告】
2004515291.tif 000034